(57)【要約】  【課題】  磁気テープに記録状態が悪い箇所があっても、画像が途切れることなく再生することができる機能を有する一体化テレビ装置を提供する。  【解決手段】  磁気テープがＶＣＲ部２により再生されている時、磁気テープに記録の悪い箇所があった場合、このまま再生すると、再生画像が見えなくなることがある。そこで、システムコントローラ１３は、ＶＣＲ２からのトラッキングエラー信号のエンベロープ信号レベルと予め定めた閾値とを比較し、エンベロープ信号レベルが閾値未満になったとき、Ｙ／Ｃ信号からコンポジット信号に切り換え、コンポジット信号をテレビ部７の信号処理回路８に入力する。信号処理回路８では、入力されたコンポジット信号に基づいてＲＧＢ信号を生成して出力する。したがって、磁気テープの記録状態が悪い区間を再生しても、再生画像が見えなくなるようなことはない。【選択図】      図１
2006013933.tif 000002
【特許請求の範囲】
【請求項１】
テレビ放送を受信するチューナ部と、磁気テープに対して情報の記録／再生を行うビデ
オカセットレコーダ部と、ＤＶＤに対して情報の記録／再生を行うＤＶＤレコーダ部と、
前記チューナ部で受信したテレビ放送を画面表示および音声出力するテレビ部とを備えた
一体型テレビ装置において、前記チューナ部からのコンポジット信号と前記ビデオカセッ
トレコーダ部のコンポジット信号と外部入力端子からのコンポジット信号との何れかを選
択して前記ＤＶＤレコーダ部の信号処理回路に入力するコンポジット選択手段と、前記コ
ンポジット信号が前記ＤＶＤレコーダ部の信号処理回路にて処理されて出力されたＹ／Ｃ
信号のうちのＹ信号と前記コンポジット選択手段からのコンポジット信号との何れかを選
択するＹ／コンポジット選択手段と、前記ＤＶＤレコーダ部の信号処理回路からのＣ信号
と前記コンポジット信号から取り出した３．５８ＭＨｚ搬送色信号との何れかを選択する
Ｃ／３．５８選択手段と、前記コンポジット選択手段と前記Ｙ／コンポジット選択手段と
前記Ｃ／３．５８選択手段と装置全体をコントロールバスを介して制御するシステムコン
トローラとを備えた構成を有し、前記システムコントローラは、前記コンポジット選択手
段を制御して前記ビデオカセットレコーダからのコンポジット信号を選択して前記ＤＶＤ
レコーダ部の信号処理回路に入力しているときに、前記ビデオカセットレコーダにおける
トラッキングサーボに用いられるトラッキングエラー信号のエンベロープ信号レベルと予
め定めた閾値とを比較し、エンベロープ信号レベルが閾値未満になったとき前記Ｙ／コン
ポジット選択手段および前記Ｃ／３．５８選択手段を制御してＹ／Ｃ信号からコンポジッ
ト信号にリアルタイムで切り換え、またはタイムラグを持たせて切り換え、コンポジット
信号を前記テレビ部のＲＧＢ信号を出力する信号処理回路に入力し、エンベロープ信号レ
ベルが閾値以上になったとき前記Ｙ／コンポジット選択手段および前記Ｃ／３．５８選択
手段を制御してコンポジット信号からＹ／Ｃ信号にリアルタイムで切り換え、またはタイ
ムラグを持たせて切り換え、Ｙ／Ｃ信号を前記テレビ部の信号処理回路に入力することを
特徴とする一体型テレビ装置。
【請求項２】
テレビ放送を受信するチューナ部と、磁気テープに対して情報の記録／再生を行う磁気
記録再生部と、光ディスクに対して情報の記録／再生を行う光ディスク記録再生部と、前
記チューナ部で受信したテレビ放送を画面表示および音声出力するテレビ部とを備えた一
体型テレビ装置において、前記磁気記録再生部からのコンポジット信号を選択して前記光
ディスク記録再生部の信号処理回路に入力しているときに、前記磁気記録再生部における
トラッキングサーボに用いられるトラッキングエラー信号のエンベロープ信号レベルと予
め定めた閾値とを比較し、エンベロープ信号レベルが閾値未満になったとき、Ｙ／Ｃ信号
からコンポジット信号に切り換え、コンポジット信号を前記テレビ部のＲＧＢ信号を出力
する信号処理回路に入力し、エンベロープ信号レベルが閾値以上になったときコンポジッ
ト信号からＹ／Ｃ信号に切り換え、Ｙ／Ｃ信号を前記テレビ部の信号処理回路に入力する
制御を行うシステムコントローラを備えたことを特徴とする一体型テレビ装置。
【請求項３】
前記チューナ部からのコンポジット信号と前記ビデオカセットレコーダ部のコンポジッ
ト信号と外部入力端子からのコンポジット信号との何れかを選択して前記ＤＶＤレコーダ
部の信号処理回路に入力するコンポジット選択手段と、前記コンポジット信号が前記ＤＶ
Ｄレコーダ部の信号処理回路にて処理されて出力されたＹ／Ｃ信号のうちのＹ信号と前記
コンポジット選択手段からのコンポジット信号との何れかを選択するＹ／コンポジット選
択手段と、前記ＤＶＤレコーダ部の信号処理回路からのＣ信号と前記コンポジット信号か
ら取り出した３．５８ＭＨｚ搬送色信号との何れかを選択するＣ／３．５８選択手段とを
備え、前記システムコントローラは、前記コンポジット選択手段と前記Ｙ／コンポジット
選択手段と前記Ｃ／３．５８選択手段と装置全体をコントロールバスを介して制御するこ
とを特徴とする請求項２に記載の一体型テレビ装置。
【請求項４】
Ｙ／Ｃ信号からコンポジット信号への切り換え、およびコンポジット信号からＹ／Ｃ信
号への切り換えは、リアルタイムまたはタイムラグを持たせて切り換えを行うことを特徴
とする請求項２に記載の一体型テレビ装置。
【請求項５】
磁気記録再生部はビデオカセットレコーダ部であり、光ディスク記録再生部はＤＶＤレ
コーダ部であることを特徴とする請求項２に記載の一体型テレビ装置。
【発明の詳細な説明】
【技術分野】
【０００１】
本発明は、磁気記録再生装置と光ディスク記録再生装置とテレビ受信機とが一体化した
一体型テレビ装置に関する。
【背景技術】
【０００２】
図４はこの種の従来の一体型テレビ装置の要部構成を示すブロック図である。この従来
の一体型テレビ装置は、テレビ放送を受信するチューナ部１と、磁気テープに対して情報
の記録／再生を行うＶＣＲ部（ビデオカセットレコーダ部）２と、ＤＶＤに対して情報の
記録／再生を行うＤＶＤレコーダ部５と、チューナ部１で受信したテレビ放送を画面表示
および音声出力するテレビ部７ａとを備え、更にチューナ１、ＶＣＲ部２、ＤＶＤレコー
ダ部５、テレビ部７ａなどを制御するためのシステムコントローラ１３ａを備えている。
このシステムコントローラ１３ａは、コントロールバスを介して各構成要素を制御する。
Ｌ１〜Ｌ７はコントロールバスに含まれるラインを示す。また、この一体型テレビ装置は
、チューナ部１からのコンポジット信号とＶＣＲ部２からのコンポジット信号と外部入力
端子ＡＵＸからのコンポジット信号との何れかを選択してＤＶＤレコーダ部５の信号処理
回路６に入力するコンポジット選択スイッチ３，４を備えている。
【０００３】
例えば、ＶＣＲ部２を再生動作させる指示が、図示しないリモコンよりシステムコント
ローラ１３ａに与えられると、システムコントローラ１３ａは、コンポジット選択スイッ
チ３をＶＣＲ部２側に設定し、コンポジット選択スイッチ４をコンポジット選択スイッチ
３側に設定する。即ち、システムコントローラ１３はＶＣＲ部２からのコンポジット信号
を選択すると、ＤＶＤレコーダ部５は、ＶＣＲ部２からのコンポジット信号を入力し、信
号処理回路６でアナログ／デジタル変換およびデジタル／アナログ変換してコンポジット
信号をＹ／Ｃ分離してＣ信号とＹ信号をテレビ部７ａに入力する。
【０００４】
テレビ部７ａの信号処理回路８ａでは、ＤＶＤレコーダ部５の信号処理回路６からのＣ
信号とＹ信号を入力し、Ｃ信号とＹ信号を処理してＲＧＢ信号を生成し出力する。そして
、このＲＧＢ信号は図示しない表示装置に入力されることによって、表示装置にはＶＣＲ
部２からの再生画像が表示される。
【特許文献１】特開２０００−４４１０号公報
【特許文献２】特開平６−７０２４９号公報
【発明の開示】
【発明が解決しようとする課題】
【０００５】
このような従来の一体型テレビ装置では、ＶＣＲ部２、チューナ部１、および外部入力
端子ＡＵＸからのコンポジット信号はＤＶＤレコーダ部５の信号処理回路６でＹ／Ｃ分離
されて、テレビ部７ａに供給されているので、解像度も高く、ノイズの影響のない鮮明な
画像を得ることができるが、ＶＣＲ部２で再生される磁気テープに記録の悪い箇所がある
と、そのコンポジット信号を入力したＤＶＤレコーダ部５の信号処理回路６は、アナログ
／デジタル変換やデジタル／アナログ変換が正常に行うことができず、このためにブロッ
キングノイズが発生して、この結果、磁気テープの記録状態が悪い箇所は、再生画像が見
えなくなり、画像が途切れるという課題が生じる。
【０００６】
なお、特許文献１，２の従来技術は、何れも、磁気記録再生装置と光ディスク記録再生
装置とテレビ受信機とが一体化した一体型テレビ装置に関するものではない。
【０００７】
本発明は、上記のような課題を解決するためになされたもので、磁気テープに記録状態
が悪い箇所があっても、画像が途切れることなく再生することができる機能を有する一体
化テレビ装置を提供することを目的とする。
【課題を解決するための手段】
【０００８】
上記目的を達成するために、請求項１の発明は、テレビ放送を受信するチューナ部と、
磁気テープに対して情報の記録／再生を行うＶＣＲ部と、ＤＶＤに対して情報の記録／再
生を行うＤＶＤレコーダ部と、前記チューナ部で受信したテレビ放送を画面表示および音
声出力するテレビ部とを備えた一体型テレビ装置において、前記チューナ部からのコンポ
ジット信号と前記ＶＣＲ部のコンポジット信号と外部入力端子からのコンポジット信号と
の何れかを選択して前記ＤＶＤレコーダ部の信号処理回路に入力するコンポジット選択手
段と、前記コンポジット信号が前記ＤＶＤレコーダ部の信号処理回路にて処理されて出力
されたＹ／Ｃ信号のうちのＹ信号と前記コンポジット選択手段からのコンポジット信号と
の何れかを選択するＹ／コンポジット選択手段と、前記ＤＶＤレコーダ部の信号処理回路
からのＣ信号と前記コンポジット信号から取り出した３．５８ＭＨｚ搬送色信号との何れ
かを選択するＣ／３．５８選択手段と、前記コンポジット選択手段と前記Ｙ／コンポジッ
ト選択手段と前記Ｃ／３．５８選択手段と装置全体をコントロールバスを介して制御する
システムコントローラとを備えた構成を有し、前記システムコントローラは、前記コンポ
ジット選択手段を制御して前記ＶＣＲからのコンポジット信号を選択して前記ＤＶＤレコ
ーダ部の信号処理回路に入力しているときに、前記ＶＣＲにおけるトラッキングサーボに
用いられるトラッキングエラー信号のエンベロープ信号レベルと予め定めた閾値とを比較
し、エンベロープ信号レベルが閾値未満になったとき前記Ｙ／コンポジット選択手段およ
び前記Ｃ／３．５８選択手段を制御してＹ／Ｃ信号からコンポジット信号にリアルタイム
で切り換え、またはタイムラグを持たせて切り換え、コンポジット信号を前記テレビ部の
ＲＧＢ信号を出力する信号処理回路に入力し、エンベロープ信号レベルが閾値以上になっ
たとき前記Ｙ／コンポジット選択手段および前記Ｃ／３．５８選択手段を制御してコンポ
ジット信号からＹ／Ｃ信号にリアルタイムで切り換え、またはタイムラグを持たせて切り
換え、Ｙ／Ｃ信号を前記テレビ部の信号処理回路に入力することを特徴とする一体型テレ
ビ装置を提供する。
【０００９】
この構成において、磁気テープに記録された画像がＶＣＲ部により再生されている時、
磁気テープに記録の悪い箇所や傷があった場合、このまま再生すると、ＤＶＤレコーダ部
の信号処理回路は、アナログ／デジタル変換やデジタル／アナログ変換が十分にできず、
そのためにブロッキングノイズが発生して、再生画像が見えなくなることがある。そこで
、システムコントローラは、ＶＣＲ部からのトラッキングエラー信号のエンベロープ信号
レベルと予め定めた閾値とを比較し、エンベロープ信号レベルが閾値未満になったとき、
Ｙ／コンポジット選択手段およびＣ／３．５８選択手段を制御して、Ｙ／Ｃ信号からコン
ポジット信号に、リアルタイムまたはタイムラグを持たせて切り換える。
【００１０】
これにより、ＶＣＲ部からのコンポジット信号はテレビ部に直接入力されることになり
、テレビ部の信号処理回路では、入力されたＹ信号と３．５８ＭＨｚ搬送色信号とに基づ
いてＲＧＢ信号を生成して出力する。したがって、この場合は、磁気テープの記録状態が
悪い区間を再生しても、再生画像が見えなくなるようなことはない。
【００１１】
そして、磁気テープの記録状態が悪い区間を過ぎると、エンベロープ信号レベルは閾値
以上になるので、システムコントローラは、エンベロープ信号レベルが閾値以上になった
ことを検出し、テレビ部に入力される信号をコンポジット信号からＹ／Ｃ信号にリアルタ
イムまたはタイムラグを持たせて切り換え、Ｙ信号とＣ信号をテレビ部の信号処理回路に
入力する。これにより、テレビ部の信号処理回路では、入力されたＹ信号とＣ信号に基づ
いてＲＧＢ信号を生成し出力する。
【００１２】
したがって、この構成によれば、磁気テープに記録状態が悪い区間があったとき、テレ
ビ部に入力される信号はＹ／Ｃ信号からコンポジット信号に切り換えられるので、即ち、
ＶＣＲ部からのコンポジット信号はテレビ部に直接入力されることになるので、再生画像
は途切れることなく表示することができ、視聴者にとっては快適に再生画像を見ることが
できる。また、ＤＶＤレコーダ部のアナログ／デジタル変換やデジタル／アナログ変換の
性能が高ければ、両信号の切り換えはリアルタイムで行うことが可能であるが、リアルタ
イムで切り換えに追従できない場合には、タイムラグを持たせてＹ／Ｃ信号とコンポジッ
ト信号間の切り換えを行えば、切り換えに追従させることが可能になる。
【００１３】
請求項２の発明は、テレビ放送を受信するチューナ部と、磁気テープに対して情報の記
録／再生を行う磁気記録再生部と、光ディスクに対して情報の記録／再生を行う光ディス
ク記録再生部と、前記チューナ部で受信したテレビ放送を画面表示および音声出力するテ
レビ部とを備えた一体型テレビ装置において、前記磁気記録再生部からのコンポジット信
号を選択して前記光ディスク記録再生部の信号処理回路に入力しているときに、前記磁気
記録再生部におけるトラッキングサーボに用いられるトラッキングエラー信号のエンベロ
ープ信号レベルと予め定めた閾値とを比較し、エンベロープ信号レベルが閾値未満になっ
たとき、Ｙ／Ｃ信号からコンポジット信号に切り換え、コンポジット信号を前記テレビ部
のＲＧＢ信号を出力する信号処理回路に入力し、エンベロープ信号レベルが閾値以上にな
ったときコンポジット信号からＹ／Ｃ信号に切り換え、Ｙ／Ｃ信号を前記テレビ部の信号
処理回路に入力する制御を行うシステムコントローラを備えたことを特徴とする一体型テ
レビ装置を提供する。
【００１４】
この構成において、磁気テープに記録された画像が磁気記録再生部により再生されてい
る時、磁気テープに記録の悪い箇所や傷があった場合、このまま再生すると、光ディスク
記録再生部の信号処理回路は、アナログ／デジタル変換やデジタル／アナログ変換が十分
にできず、そのためにブロッキングノイズが発生して、再生画像が見えなくなることがあ
る。そこで、システムコントローラは、磁気記録再生部からのトラッキングエラー信号の
エンベロープ信号レベルと予め定めた閾値とを比較し、エンベロープ信号レベルが閾値未
満になったとき、Ｙ／Ｃ信号からコンポジット信号に切り換え、コンポジット信号をテレ
ビ部の信号処理回路に入力する。
【００１５】
これにより、磁気記録再生部からのコンポジット信号はテレビ部に直接入力されること
になり、テレビ部の信号処理回路では、入力されたコンポジット信号に基づいてＲＧＢ信
号を生成して出力する。したがって、この場合は、磁気テープの記録状態が悪い区間を再
生しても、再生画像が見えなくなるようなことはない。
【００１６】
そして、磁気テープの記録状態が悪い区間を過ぎると、エンベロープ信号レベルは閾値
以上になるので、システムコントローラは、エンベロープ信号レベルが閾値以上になった
ことを検出し、テレビ部に入力される信号をコンポジット信号からＹ／Ｃ信号に切り換え
、Ｙ信号とＣ信号をテレビ部の信号処理回路に入力する。これにより、テレビ部の信号処
理回路では、入力されたＹ信号とＣ信号に基づいてＲＧＢ信号を生成し出力する。
【００１７】
したがって、この構成によれば、磁気テープに記録状態が悪い区間があったとき、テレ
ビ部に入力される信号はＹ／Ｃ信号からコンポジット信号に切り換えられるので、即ち、
磁気記録再生部からのコンポジット信号はテレビ部に直接入力されることになるので、再
生画像は途切れることなく表示することができ、視聴者にとっては快適に再生画像を見る
ことができる。
【００１８】
請求項３の発明では、請求項２の発明において、前記チューナ部からのコンポジット信
号と前記ビデオカセットレコーダ部のコンポジット信号と外部入力端子からのコンポジッ
ト信号との何れかを選択して前記ＤＶＤレコーダ部の信号処理回路に入力するコンポジッ
ト選択手段と、前記コンポジット信号が前記ＤＶＤレコーダ部の信号処理回路にて処理さ
れて出力されたＹ／Ｃ信号のうちのＹ信号と前記コンポジット選択手段からのコンポジッ
ト信号との何れかを選択するＹ／コンポジット選択手段と、前記ＤＶＤレコーダ部の信号
処理回路からのＣ信号と前記コンポジット信号から取り出した３．５８ＭＨｚ搬送色信号
との何れかを選択するＣ／３．５８選択手段とを備え、前記システムコントローラは、前
記コンポジット選択手段と前記Ｙ／コンポジット選択手段と前記Ｃ／３．５８選択手段と
装置全体をコントロールバスを介して制御するので、テレビ部の信号処理回路に入力する
Ｙ／Ｃ信号とコンポジット信号との切り換えを容易に実現することができる。
【００１９】
請求項４の発明では、請求項２の発明において、Ｙ／Ｃ信号からコンポジット信号への
切り換え、およびコンポジット信号からＹ／Ｃ信号への切り換えは、リアルタイムまたは
タイムラグを持たせて切り換えを行うので、光ディスク記録再生部のアナログ／デジタル
変換やデジタル／アナログ変換の性能が高ければ、両信号の切り換えはリアルタイムで行
うことが可能であるが、リアルタイムで切り換えに追従できない場合には、タイムラグを
持たせてＹ／Ｃ信号とコンポジット信号間の切り換えを行えば、切り換えに追従させるこ
とが可能になる。
【００２０】
請求項５の発明では、請求項２の発明において、磁気記録再生部はビデオカセットレコ
ーダ部であり、光ディスク記録再生部はＤＶＤレコーダ部であるので、磁気記録再生部と
してはスペースが小さくて済み、光ディスク記録再生部としては大量の画像情報を記録す
ることが可能になり、したがって一体型テレビ装置としては、テレビ部以外のスペースが
小さくて済み、デザイン的には単体のテレビジョン受信機と変わらないものを実現でき、
しかも、ビデオカセットレコーダ部およびＤＶＤレコーダ部をも備えているので、使い勝
手が良く、また、それぞれ別々に購入するのに比べ、安価で手に入れることが可能になる
。
【発明の効果】
【００２１】
以上のように本発明によれば、磁気テープに記録状態が悪い区間があったとき、テレビ
部に入力される信号はＹ／Ｃ信号からコンポジット信号に切り換えられるので、即ち、Ｖ
ＣＲ部からのコンポジット信号はテレビ部に直接入力されることになるので、再生画像は
途切れることなく表示することができ、視聴者にとっては快適に再生画像を見ることがで
きる。また、光ディスク記録再生部のアナログ／デジタル変換やデジタル／アナログ変換
の性能が高ければ、両信号の切り換えはリアルタイムで行うことが可能であるが、リアル
タイムで切り換えに追従できない場合には、タイムラグを持たせてＹ／Ｃ信号とコンポジ
ット信号間の切り換えを行えば、切り換えに追従させることが可能になる。
【００２２】
また、本発明によれば、磁気テープに記録状態が悪い区間があったとき、テレビ部に入
力される信号はＹ／Ｃ信号からコンポジット信号に切り換えられるので、即ち、磁気記録
再生部からのコンポジット信号はテレビ部に直接入力されることになるので、再生画像は
途切れることなく表示することができ、視聴者にとっては快適に再生画像を見ることがで
きる。
【発明を実施するための最良の形態】
【００２３】
以下、添付図面を参照しつつ、本発明の実施の形態について説明する。図１は本発明の
一実施形態に係る一体型テレビ装置の要部構成を示すブロック図である。
【００２４】
この一体型テレビ装置は、テレビ放送を受信するチューナ部１と、磁気テープに対して
情報の記録／再生を行うＶＣＲ部（ビデオカセットレコーダ部）２と、ＤＶＤに対して情
報の記録／再生を行うＤＶＤレコーダ部５と、チューナ部１で受信したテレビ放送を画面
表示および音声出力するテレビ部７とを備え、更にチューナ１、ＶＣＲ部２、ＤＶＤレコ
ーダ部５、テレビ部７などを制御するためのシステムコントローラ１３を備えている。こ
のシステムコントローラ１３は、コントロールバスを介して各構成要素を制御する。Ｌ１
〜Ｌ９はコントロールバスに含まれるラインを示す。
【００２５】
また、この一体型テレビ装置は、チューナ部１からのコンポジット信号とＶＣＲ部２の
コンポジット信号と外部入力端子ＡＵＸからのコンポジット信号との何れかを選択してＤ
ＶＤレコーダ部５の信号処理回路６に入力するコンポジット選択スイッチ３，４と、前記
コンポジット信号がＤＶＤレコーダ部５の信号処理回路６にて処理されて出力されたＹ／
Ｃ信号のうちのＹ信号（輝度信号）とコンポジット選択スイッチ３，４からのコンポジッ
ト信号との何れかを選択するＹ／コンポジット選択スイッチ９と、ＤＶＤレコーダ部５の
信号処理回路６からのＣ信号（色差信号）と前記コンポジット信号から取り出した３．５
８ＭＨｚ搬送色信号との何れかを選択するＣ／３．５８選択スイッチ１０とを備えている
。
【００２６】
Ｙ／コンポジット選択スイッチ９がコンポジット信号を選択した場合は、コンポジット
信号は３．５８トラップ回路１１によって３．５８ＭＨｚ搬送色信号を除去してテレビ部
７の信号処理回路８に入力すると共に、Ｃ／３．５８選択スイッチ１０は３．５８抽出回
路１２によって抽出された３．５８ＭＨｚ搬送色信号を選択し、同じくテレビ部７の信号
処理回路８に入力する。信号処理回路８では、内部の３．５８ＭＨｚ発振器からの３．５
８ＭＨｚの信号と、Ｙ信号とに基づいて、３．５８ＭＨｚ搬送色信号からＲＧＢ信号を生
成し出力する。
【００２７】
Ｙ／コンポジット選択スイッチ９がＤＶＤレコーダ部５の信号処理回路６からのＹ信号
を選択し、これに伴ってＣ／３．５８選択スイッチ１０が同じく信号処理回路６からのＣ
信号を選択した場合は、テレビ部７の信号処理回路８にはＹ信号およびＣ信号が入力され
る。これにより、信号処理回路８は、Ｙ信号およびＣ信号に基づいてＲＧＢ信号を生成し
て出力する。なお、Ｙ／コンポジット選択スイッチ９がＹ信号を選択しているときは、Ｙ
信号は３．５８トラップ回路１１をそのまま通過する。
【００２８】
システムコントローラ１３の特徴としては、コンポジット選択スイッチ３，４を制御し
てＶＣＲ部２からのコンポジット信号を選択してＤＶＤレコーダ部５の信号処理回路６に
入力しているときに、ＶＣＲ部２におけるトラッキングサーボに用いられるトラッキング
エラー信号のエンベロープ信号レベルと予め定めた閾値とをエンベロープ信号比較手段１
４で比較し、エンベロープ信号レベルが閾値未満になったときＹ／コンポジット選択スイ
ッチ９およびＣ／３．５８選択スイッチ１０を制御して、信号切換手段１５により、Ｙ／
Ｃ信号からコンポジット信号にリアルタイムで切り換え、またはタイムラグを持たせて切
り換え、コンポジット信号をテレビ部７のＲＧＢ信号を出力する信号処理回路８に入力し
、エンベロープ信号レベルが閾値以上になったときＹ／コンポジット選択スイッチ９およ
びＣ／３．５８選択スイッチ１０を制御してコンポジット信号からＹ／Ｃ信号にリアルタ
イムで切り換え、またはタイムラグを持たせて切り換え、Ｙ／Ｃ信号をテレビ部７の信号
処理回路８に入力する。
【００２９】
図２は本実施形態においてＶＣＲの再生動作時での磁気テープとトラッキングエラー信
号のエンベロープ信号との関係を示す図である。図３は本実施形態においてＶＣＲの再生
動作時でのＹ／Ｃ信号とコンポジット信号との切り換え動作を説明するためのフローチャ
ートである。
【００３０】
図２および図３を参照して図１に示す一体型テレビ装置の特徴とする動作について説明
する。例えば、ＶＣＲ部２を再生動作させる指示が、図示しないリモコンよりシステムコ
ントローラ１３に与えられると、システムコントローラ１３は、コンポジット選択スイッ
チ３をＶＣＲ部２側に設定し、コンポジット選択スイッチ４をコンポジット選択スイッチ
３側に設定する。即ち、システムコントローラ１３はＶＣＲ部２からのコンポジット信号
を選択する（ステップＳ１）。これにより、ＤＶＤレコーダ部５は、ＶＣＲ部２からのコ
ンポジット信号を入力し、信号処理回路６でアナログ／デジタル変換およびデジタル／ア
ナログ変換してコンポジット信号をＹ／Ｃ分離してＣ信号とＹ信号をテレビ部７に入力す
る。
【００３１】
テレビ部７では、システムコントローラ１３の制御により、Ｙ／コンポジット選択スイ
ッチ９がＤＶＤレコーダ部５の信号処理回路６のＹ信号側に設定され、Ｃ／３．５８選択
スイッチ１０がＤＶＤレコーダ部５の信号処理回路６のＣ信号側に設定されているので、
ＤＶＤレコーダ５の信号処理回路６からのＹ信号はＹ／コンポジット選択スイッチ９およ
び３．５８トラップ回路１１を介して信号処理回路８に入力され、ＤＶＤレコーダ部５の
信号処理回路６からのＣ信号はＣ／３．５８選択スイッチ１０を介して信号処理回路８に
入力される。信号処理回路８では、Ｃ信号とＹ信号に基づいてＲＧＢ信号を生成し出力す
る。そして、このＲＧＢ信号は図示しない表示装置に入力されることによって、表示装置
にはＶＣＲ部２からの再生画像が表示される。
【００３２】
このようにして磁気テープに記録された画像がＶＣＲ部２により再生されている時には
、システムコントローラ１３は、ＶＣＲ部２におけるトラッキングサーボに用いられるト
ラッキングエラー信号のエンベロープ信号レベル（正常なときは例えば５Ｖ電圧）と予め
定めた閾値（例えば３Ｖ電圧）とを比較し、エンベロープ信号レベルが閾値未満になった
とき（ステップＳ２）、Ｙ／コンポジット選択スイッチ９およびＣ／３．５８選択スイッ
チ１０を制御して、テレビ部７に入力する信号をＹ／Ｃ信号からコンポジット信号にリア
ルタイムで切り換える（ステップＳ３）。
【００３３】
なお、ＤＶＤレコーダ部５のアナログ／デジタル変換やデジタル／アナログ変換の性能
、Ｙ／コンポジット選択スイッチ９およびＣ／３．５８選択スイッチ１０のスイッチング
性能が高ければ、Ｙ／Ｃ信号からコンポジット信号にリアルタイムで切り換えることが可
能であるが、切り換えに追従できない場合には、タイムラグを持たせてＹ／Ｃ信号からコ
ンポジット信号への切り換えを行っても良い。また、後述するコンポジット信号からＹ／
Ｃ信号への切り換えについても同様に、タイムラグを持たせても良い。
【００３４】
ところで、例えば図２（Ａ）に示すように、時点Ｔ１から時点Ｔ２の期間（区間）で、
磁気テープ２０に記録の悪い箇所や傷があった場合、このまま再生すると、ＤＶＤレコー
ダ部５の信号処理回路６は、アナログ／デジタル変換やデジタル／アナログ変換が十分に
できず、そのためにブロッキングノイズが発生して、再生画像が見えなくなることがある
。
【００３５】
そこで、ＶＣＲ部２におけるトラッキングサーボに用いられるトラッキングエラー信号
のエンベロープ信号レベルは、磁気テープの記録状態が正常なときは例えば図２（Ｂ）に
示すように５Ｖ電圧であり、図２（Ａ）に示すように記録状態が悪い区間（時点Ｔから時
点Ｔまでの期間）では、エンベロープ信号レベルは例えば３Ｖ未満になったと仮定すると
、システムコントローラ１３は、エンベロープ信号レベルが３Ｖの閾値未満であると判定
し（ステップＳ２）、Ｙ／コンポジット選択スイッチ９およびＣ／３．５８選択スイッチ
１０を制御して、テレビ装置７に入力する信号をＹ／Ｃ信号からコンポジット信号にリア
ルタイムで切り換える（ステップＳ３）。
【００３６】
これにより、ＶＣＲ部２からのコンポジット信号はテレビ部７に直接入力されることに
なり、Ｙ／コンポジット選択スイッチ９を介して３．５８トラップ回路１１に入力された
コンポジット信号は、３．５８ＭＨｚ成分が除去されてＹ信号のみ信号処理回路８に入力
され、３．５８抽出回路１２に入力されたコンポジット信号は３．５８ＭＨｚ成分（３．
５８ＭＨｚ搬送色信号）のみ信号処理回路８に入力される。信号処理回路８では、入力さ
れたＹ信号と３．５８ＭＨｚ搬送色信号とに基づいてＲＧＢ信号を生成して出力する。し
たがって、この場合は、磁気テープ２０の記録状態が悪い区間（時点Ｔ１から時点Ｔ２ま
での期間）を再生しても、再生画像が見えなくなるようなことはない。
【００３７】
そして、磁気テープ２０の記録状態が悪い区間を過ぎると、図２（Ｂ）に示すようにエ
ンベロープ信号レベルが３Ｖ電圧以上になるので、システムコントローラ１３は、エンベ
ロープ信号レベルが閾値（３Ｖ電圧）以上になったことを検出し（ステップＳ４）、Ｙ／
コンポジット選択スイッチ９およびＣ／３．５８選択スイッチ１０を制御して、Ｙ／コン
ポジット選択スイッチ９をＹ信号側に、Ｃ／３．５８選択スイッチ１０をＣ信号側に切り
換えることによって、テレビ部７に入力する信号をコンポジット信号からＹ／Ｃ信号にリ
アルタイムで切り換え（ステップＳ５）、Ｙ信号とＣ信号をテレビ部７の信号処理回路８
に入力する。これにより、信号処理回路８では、入力されたＹ信号とＣ信号に基づいてＲ
ＧＢ信号を生成し出力する。この場合は、ＤＶＤレコーダ部５でデジタル処理されたＹ／
Ｃ信号を用いているので、特に鮮明な画像が表示装置に表示されることになる。
【００３８】
ステップＳ５の処理の後は、再生が終了するまで（ステップＳ６）、ステップＳ２〜ス
テップＳ５の処理が繰り返され、例え、磁気テープに記録状態が悪い区間があっても、再
生画像は途切れることなく表示することができる。
【００３９】
なお、本実施形態では、エンベロープ信号レベルを比較する閾値の電圧を３Ｖにしたが
、エンベロープ信号レベルが低下して、ブロッキングノイズが発生するレベルが装置の性
能により異なるので、前記閾値の電圧は３Ｖに限らない。また、本実施形態では、正常な
エンベロープ信号レベルは５Ｖとして説明したが、装置によって異なるので、これに限ら
ない。
【００４０】
以上説明したように本実施形態によれば、磁気テープに記録状態が悪い区間があったと
き、テレビ部７に入力される信号はＹ／Ｃ信号からコンポジット信号に切り換えられるの
で、即ち、ＶＣＲ部２からのコンポジット信号はテレビ部７に直接入力されることになる
ので、再生画像は途切れることなく表示することができ、視聴者にとっては快適に再生画
像を見ることができる。また、ＤＶＤレコーダ部５のアナログ／デジタル変換やデジタル
／アナログ変換の性能が高ければ、両信号の切り換えはリアルタイムで行うことが可能で
あるが、リアルタイムで切り換えに追従できない場合には、タイムラグを持たせてＹ／Ｃ
信号とコンポジット信号間の切り換えを行えば、切り換えに追従させることが可能になる
。
【図面の簡単な説明】
【００４１】
【図１】本発明の一実施形態に係る一体型テレビ装置の要部構成を示すブロック図である。
【図２】前記実施形態においてＶＣＲの再生動作時での磁気テープとトラッキングエラー信号のエンベロープ信号との関係を示す図である。
【図３】前記実施形態においてＶＣＲの再生動作時でのＹ／Ｃ信号とコンポジット信号との切り換え動作を説明するためのフローチャートである。
【図４】従来の一体型テレビ装置の要部構成を示すブロック図である。
【符号の説明】
【００４２】
１    チューナ部
２    ＶＣＲ部（磁気記録再生部）
３，４コンポジット選択スイッチ（コンポジット選択手段）
５    ＤＶＤレコーダ部（光ディスク記録再生部）
６    ＤＶＤレコーダ部の信号処理回路
７    テレビ部
８    テレビ部の信号処理回路
９    Ｙ／コンポジット選択スイッチ（Ｙ／コンポジット選択手段）
１０    Ｃ／３．５８選択スイッチ（Ｃ／３．５８選択手段）
１３    システムコントローラ
Ｌ１〜Ｌ９    コントローラバスのライン
ＡＵＸ    外部入力端子
【図１】
2006013933.tif 000003
【図２】
2006013933.tif 000004
【図３】
2006013933.tif 000005
【図４】
2006013933.tif 000006